(57)【要約】      （修正有）【課題】ラチェット効果をもたせるモンキーレンチ構造を提供する。【解決手段】モンキーレンチ構造は、第１嵌合ブロック、滑動溝、四角溝、第１軸孔１４、第１溝室、第３面、第１ピボット部１６及び第２溝室を設ける第１本体１０と、第２嵌合ブロック、滑動ロッド及び第１歯部を設ける第２本体２０と、四角溝中に枢着され、第２歯部を設け、第１歯部と噛み合わさり、貫通する第２軸孔３２を設け、第１軸孔と位置合わせする調整ボルト３０と、第２溝室に収容設置される嵌合部材５０であり、嵌合部材の一端は、当接部を設け、第２溝室中に収容設置し、当接部は、調整ボルトの一端と当接させ、当接部に第３軸孔５２を設け、第３軸孔は、第１軸孔及び第２軸孔と位置合わせされ、第３軸孔も第１ピボット部材と互いに被せ設けられ、嵌合部材は、第１押圧部を設ける嵌合部材と、第１溝室中に収容設置され、第２ピボット部を設け、第１ピボット部と枢着し、第３本体６０に第２押圧部を設け、第１押圧部と係合する第３本体と、を含む。【選択図】図１
0003200655.tif 000002
【実用新案登録請求の範囲】
【請求項１】
第１本体であり、前記第１本体の一端は、突出する第１嵌合ブロックを設け、前記第１本体の前記第１嵌合ブロック付近に滑動溝を設け、前記第１本体は、四角溝を設け、前記四角溝の一辺面は、前記滑動溝と相通状を呈し、前記四角溝内の対応する両側辺に第１面及び第２面を設け、前記第１面及び前記第２面の間の距離は、第１距離であり、前記第１本体は、第１軸孔を設け、前記第１軸孔は、前記四角溝と相通状を呈し、前記第１本体の前記第１嵌合ブロックから離れる箇所に第１溝室を設け、前記第１溝室上下は、密閉面状を呈し、前記第１溝室は、前記第１本体の前記第１嵌合ブロックから離れる箇所に開放状を呈させ、前記第１溝室の底面は、第３面であり、前記第１本体は、貫通する第１ピボット部を設け、前記第１ピボット部は、前記第１溝室と相通状を呈し、前記第１本体は、第２溝室を設け、前記第２溝室は、前記第１溝室及び前記四角溝と相通状を呈する第１本体と、
第２本体であり、前記第２本体上に突出する第２嵌合ブロックを設け、前記第２嵌合ブロックは、前記第１本体の前記第１嵌合ブロックと対応し、前記第２本体上に滑動ロッドを設け、前記滑動ロッドは、前記滑動溝中に収容設置され、前記第２本体を前記第１本体の前記滑動溝で直線変位可能にし、前記滑動ロッド上に複数の配列された第１歯部を設ける第２本体と、
調整ボルトであって、前記調整ボルトは、前記第１本体の前記四角溝中に枢着され、前記調整ボルトの長さは、前記第１距離より小さく、前記調整ボルト外周面に第２歯部を設け、前記第２歯部は、前記第２本体の前記第１歯部と噛み合い、前記調整ボルトを作動させ、前記第２本体を前記第１本体の前記滑動溝で直線変位させ、前記調整ボルトは、貫通する第２軸孔を設け、前記第２軸孔は、前記第１本体の前記第１軸孔と位置合わせされる調整ボルトと、
第１ピボット部材であり、前記第１ピボット部材は、前記第１本体の前記第１軸孔中及び前記調整ボルトの前記第２軸孔中に収容設置され、前記調整ボルトを前記四角溝中に枢着させる第１ピボット部材と、
嵌合部材であり、前記嵌合部材は、前記第１本体の前記第２溝室中に収容設置され、前記嵌合部材の一端は、当接部を設け、前記当接部は、前記第２溝室中に収容設置され、前記当接部は、前記調整ボルトの一端と当接し、前記当接部上に貫通する第３軸孔を設け、前記第３軸孔は、前記第１軸孔及び前記第２軸孔と位置合わせされ、前記第３軸孔は、前記第１ピボット部材と互いに被せ設けられ、前記嵌合部材は、第１押圧部を設ける嵌合部材と、
第３本体であり、前記第３本体は、前記第１本体の前記第１溝室中に収容設置され、前記第３本体は、第２ピボット部を設け、前記第２ピボット部は、前記第１本体の前記第１ピボット部と位置合わせされ、前記第３本体上に第２押圧部を設け、前記第２押圧部は、前記嵌合部材の前記第１押圧部と係合する第３本体と、
第２ピボット部材であり、前記第２ピボット部材は、前記第１本体の前記第１ピボット部及び前記第３本体の前記第２ピボット部中に収容設置され、前記第３本体を前記第１本体と枢着させる第２ピボット部材と、
を含むモンキーレンチ構造。
【請求項２】
前記第３本体の前記第２押圧部から離れる箇所に第２収容溝を設け、前記第２収容溝は、前記第３面に向き合い、前記第２収容溝は、円溝状を呈し、第１弾性部材を設け、前記第１弾性部材は、前記第３本体の前記第２収容溝箇所に収容設置され、且つ前記第１弾性部材は、前記第１本体の前記第３面と係合する請求項１に記載のモンキーレンチ構造。
【請求項３】
前記第１嵌合ブロック上に第１嵌合面を設け、前記第１嵌合面は、凹弧面状を呈し、前記第１嵌合面上に複数の横方向に配列された第１凸部を設け、前記第２嵌合ブロック上に第２嵌合面を設け、前記第２嵌合面は、凹弧面状を呈し、前記第２嵌合面上に複数の横方向に配列された第２凸部を設け、前記第２凸部は、前記第１凸部と対応する請求項２に記載のモンキーレンチ構造。
【請求項４】
前記滑動溝の開口付近は、方形溝室状を呈し、前記滑動溝の開口から離れた箇所は、円溝状を呈し、前記滑動ロッドは、円ロッド状を呈し、前記第１歯部は、凹弧状を呈する請求項２に記載のモンキーレンチ構造。
【請求項５】
前記第１本体の前記第３面は、平面状を呈する請求項２に記載のモンキーレンチ構造。
【請求項６】
前記第１ピボット部の一端に螺子孔を設け、前記螺子孔は、内ねじ山状を呈し、前記第２ピボット部材は、ねじ山部を設け、前記ねじ山部は、外ねじ山状を呈し、且つ前記螺子孔と螺合する請求項２に記載のモンキーレンチ構造。
【請求項７】
前記第１本体は、貫通孔を設け、前記貫通孔は、貫通状を呈し、前記貫通孔は、前記第１溝室及び前記第２溝室の接合箇所に設けられ、
更に制御部材を設け、前記制御部材は、前記第１本体の貫通孔中に枢着し、前記制御部材の一端は、発動部を設け、前記発動部は、前記第１本体外に突出し、前記制御部材上に制御部を設け、前記制御部は、円柱体状を呈し、前記制御部は、外周面及び制御溝を設け、前記外周面は、第３本体の辺面と当接し、前記第３本体に前記第１本体に対して回転不能状態を呈させ、前記制御部材を回転させた後、前記制御溝を前記第３本体に位置合わせさせ、前記第３本体に回転空間をもたせ、前記制御部材の他端にバックル溝を設け、
更にバックルを設け、前記バックルは、前記制御部材の前記バックル溝中に収容設置され、前記制御部材に前記バックルの制限を受けさせ、前記第１本体の前記貫通孔中に収容設置させる請求項２に記載のモンキーレンチ構造。
【請求項８】
前記調整ボルトの一端に第１収容溝を設け、前記第１収容溝は、円溝状を呈し、前記第１収容溝は、前記第１面と位置合わせされ、前記調整ボルトは、円柱体状を呈し、第２弾性部材を設け、前記第２弾性部材は、前記調整ボルトの前記第１収容溝箇所に収容設置され、前記第２弾性部材は、前記調整ボルト及び前記四角溝の前記第１面の間に係合される請求項２に記載のモンキーレンチ構造。
【請求項９】
前記嵌合部材は、Ｌ型直角状を呈し、前記嵌合部材は、前記第１本体の前記第１溝室及び前記第２溝室中に収容設置される請求項２に記載のモンキーレンチ構造。
【請求項１０】
前記当接部は、前記四角溝の範囲まで凸伸し、前記第１距離は、前記調整ボルトの長さと前記当接部の長さを加えた長さより大きい請求項２に記載のモンキーレンチ構造。
【請求項１１】
前記第１押圧部は、斜面状を呈し、前記第２押圧部は、突出面状を呈し、前記第２押圧部は、弧面状を呈する請求項２に記載のモンキーレンチ構造。
【請求項１２】
前記嵌合部材の他端の対応する両辺は、第４面及び第５面を設け、前記第４面及び前記第５面は、前記第１溝室中に収容設置され、前記第４面は、前記第３面と当接し、前記第２押圧部付近に第６面を設け、前記第６面は、前記嵌合部材の前記第５面と当接する請求項２に記載のモンキーレンチ構造。
【請求項１３】
前記第４面は、平面状又は弧面状を呈し、前記第５面は、平面状を呈し、前記第４面が平面状を呈する時、前記第５面及び前記第３面と平行状を呈し、前記第６面は、平面状又は弧面状を呈し、前記第６面の一側は、弧面を設け、前記弧面は、前記第２押圧部から離れる請求項１２に記載のモンキーレンチ構造。
【請求項１４】
前記調整ボルトの他端は、第２収容溝を設け、第３弾性部材を設け、前記第３弾性部材は、前記第２収容溝内に収容設置され、前記第３弾性部材は、前記嵌合部材の前記当接部と係合する請求項２に記載のモンキーレンチ構造。
【請求項１５】
前記嵌合部材の前記第１押圧部は、凹弧面状を呈し、前記第３本体の前記第２押圧部は、凸弧面状を呈し、前記第２押圧部は、前記第１押圧部内に収容設置される請求項２に記載のモンキーレンチ構造。
【請求項１６】
前記嵌合部材は、前記第１本体の前記第２溝室中に収容設置され、前記嵌合部材は、梯子型のブロック体状を呈し、前記第３本体は、第６面を設け、前記第６面は、前記第１本体の前記第３面上に当接される請求項２に記載のモンキーレンチ構造。
【請求項１７】
前記第１本体の前記第１軸孔内に内ねじ山部を設け、前記第１ピボット部材の端部は、外ねじ山部を設け、前記第１ピボット部材は、前記第１軸孔と螺合する請求項２に記載のモンキーレンチ構造。
【請求項１８】
前記嵌合部材は、前記第３本体と一体状を呈する請求項２に記載のモンキーレンチ構造。
【考案の詳細な説明】
【技術分野】
【０００１】
本考案は、モンキーレンチ構造に関し、特に、嵌合部材及び第３本体を設け、前記第３本体は、反時計回りに回転し、前記嵌合部材は、第３本体の当接を受けることがなく、調整ボルトは、変位することができ、本考案のモンキーレンチ構造にラチェット効果をもたせるモンキーレンチ構造に関する。
【背景技術】
【０００２】
公知のモンキーレンチ構造は、公報、例えば、米国特許第ＵＳ６５６８３０１Ｂ２号、台湾特許出願第０８９２１５３８９Ａ０１号、発明名称：モンキーレンチは、前記モンキーレンチが、本体１、滑動ブロック２、活動顎３及び柄４を含み、前記本体１は、固定顎１１を突出し、前記本体１上段に滑動溝１２を有し、前記活動顎３を設置させ、且つ前記本体１の固定顎１１に相対する一端は、前記柄４と枢着し、前記本体１中に中空部１３を有し、前記中空部１３は、本体１を貫通し、且つ前記中空部１３は、前記滑動ブロック２を設置させ、その特徴は、以下にある。前記滑動ブロック２の上面、底面は、前記中空部１３により制限を受け、前記滑動ブロック２を中空部１３中で横方向に滑動移動させることができ、前記滑動ブロック２は、調整ボルト２１に枢着し、前記活動顎３は、前記調整ボルト２１に対応して噛み合う歯部３２を有し、調整ボルト２１を回転することで前記活動顎３の位置を変化させる。前記滑動ブロック２の前記柄４に近隣する一側に凹部２２を有し、前記柄４は、前記凹部２２に対応して少なくとも前記滑動ブロック２と当接するストッパ４１，４２を有し、且つ前記ストッパ４１，４２及び前記中空部１３の間に１つ以上の弾性部材２３，２４を設け、前記弾性部材２３，２４の弾力により前記ストッパ４１，４２を押圧し、前記ストッパ４１，４２により前記滑動ブロック２を押圧し、近隣する固定顎１１の方向へ移動させる。
【０００３】
但し、この従来の構造の欠陥は、以下にある。
１、上記公報の図３及び図４に示されるように、前記従来のモンキーレンチ構造は、柄４により回転力をストッパ４１に施力し、前記ストッパ４１が更に滑動ブロック２、調整ボルト２１に施力して活動顎３に作用し、螺合部材５を回転させ、全体的なトルクが最も弱い箇所、即ち、ストッパ４１及び滑動ブロック２が当接する箇所で受けられ、前記本体１の中空部１３の空間は、滑動ブロック２及び調整ボルト２１を収容し、前記ストッパ４１は、中空部１３の空間を受け、前記ストッパ４１の断面積は、過度に大きいことは不可能であり、前記ストッパ４１は、力を受けて断裂し易い。
２、上記公報の図２に示すように、前記柄４は、柄４、板４０１、板４０２及び複数の三者の間を結合する梢体を含み、前記柄４の構造部材は、相当多く、且つ上記公報の図１に示されるように外観から比較的美観がない。
【０００４】
上記従来の特許のモンキーレンチ構造の欠陥に鑑み、本考案者は、関連業界に長年従事した経験及び設計の経験により、ようやく従来のモンキーレンチ構造の製品の問題を解決する製品を開発している。
【先行技術文献】
【特許文献】
【０００５】
【特許文献１】米国特許第ＵＳ６５６８３０１Ｂ２号
【特許文献２】台湾特許出願第０８９２１５３８９Ａ０１号
【考案の概要】
【考案が解決しようとする課題】
【０００６】
本考案が解決しようとする課題は、従来技術のラチェット効果を有するモンキーレンチの回転トルクが比較的良好でないという欠陥を解決することであり、本考案は、モンキーレンチ構造に関し、特に、嵌合部材及び第３本体を設け、前記第３本体は、反時計回りに回転し、前記嵌合部材は、第３本体の当接を受けることがなく、前記調整ボルトは、変位することができ、本考案のモンキーレンチ構造にラチェット効果をもたせるモンキーレンチ構造に関する。
【課題を解決するための手段】
【０００７】
課題を解決する技術手段として、モンキーレンチ構造は、
第１嵌合ロック、滑動溝、四角溝、第１軸孔、第１溝室、第３面、第１ピボット部及び第２溝室を設ける第１本体と、
第１嵌合ブロックを位置合わせする第２嵌合ブロックを設け、滑動ロッド及び第１歯部を設け、前記滑動ロッドが前記滑動溝内に収容される第２本体と、
四角溝中に枢着され、第２歯部を設け、第１歯部と噛み合わさり、貫通する第２軸孔を設け、第１軸孔と位置合わせする調整ボルトと、
第２溝室に収容設置される嵌合部材であり、前記嵌合部材の一端は、当接部を設け、第２溝室中に収容設置し、前記当接部は、調整ボルトの一端と当接し、前記当接部上に第３軸孔を設け、前記第３軸孔は、第１軸孔及び第２軸孔と位置合わせされ、前記第３軸孔も第１ピボット部材と互いに被せ設けられ、前記嵌合部材は、第１押圧部を設ける嵌合部材と、
第１溝室中に収容設置され、第２ピボット部を設け、第１ピボット部と枢着し、第３本体上に第２押圧部を設け、第１押圧部と係合する第３本体と、
を含む。
詳しくは、本考案のモンキーレンチ構造は、
第１本体であり、前記第１本体の一端は、突出する第１嵌合ブロックを設け、前記第１本体の前記第１嵌合ブロック付近に滑動溝を設け、前記第１本体は、四角溝を設け、前記四角溝の一辺面は、前記滑動溝と相通ずる状態(以下、相通状)を呈し、前記四角溝内の対応する両側辺に第１面及び第２面を設け、前記第１面及び前記第２面の間の距離は、第１距離であり、前記第１本体は、第１軸孔を設け、前記第１軸孔は、前記四角溝と相通状を呈し、前記第１本体の前記第１嵌合ブロックから離れる箇所に第１溝室を設け、前記第１溝室上下は、密閉面状を呈し、前記第１溝室は、前記第１本体の前記第１嵌合ブロックから離れる箇所に開放状を呈させ、前記第１溝室の底面は、第３面であり、前記第１本体は、貫通する第１ピボット部を設け、前記第１ピボット部は、前記第１溝室と相通状を呈し、前記第１本体は、第２溝室を設け、前記第２溝室は、前記第１溝室及び前記四角溝と相通状を呈する第１本体と、
第２本体であり、前記第２本体上に突出する第２嵌合ブロックを設け、前記第２嵌合ブロックは、前記第１本体の前記第１嵌合ブロックと対応し、前記第２本体上に滑動ロッドを設け、前記滑動ロッドは、前記滑動溝中に収容設置され、前記第２本体を前記第１本体の前記滑動溝で直線変位可能にし、前記滑動ロッド上に複数の配列された第１歯部を設ける第２本体と、
調整ボルトであって、前記調整ボルトは、前記第１本体の前記四角溝中に枢着され、前記調整ボルトの長さは、前記第１距離より小さく、前記調整ボルト外周面に第２歯部を設け、前記第２歯部は、前記第２本体の前記第１歯部と噛み合い、前記調整ボルトを作動させ、前記第２本体を前記第１本体の前記滑動溝で直線変位させ、前記調整ボルトは、貫通する第２軸孔を設け、前記第２軸孔は、前記第１本体の前記第１軸孔と位置合わせされる調整ボルトと、
第１ピボット部材であり、前記第１ピボット部材は、前記第１本体の前記第１軸孔中及び前記調整ボルトの前記第２軸孔中に収容設置され、前記調整ボルトを前記四角溝中に枢着させる第１ピボット部材と、
嵌合部材であり、前記嵌合部材は、前記第１本体の前記第２溝室中に収容設置され、前記嵌合部材の一端は、当接部を設け、前記当接部は、前記第２溝室中に収容設置され、前記当接部は、前記調整ボルトの一端と当接し、前記当接部上に貫通する第３軸孔を設け、前記第３軸孔は、前記第１軸孔及び前記第２軸孔と位置合わせされ、前記第３軸孔は、前記第１ピボット部材と互いに被せ設けられ、前記嵌合部材は、第１押圧部を設ける嵌合部材と、
第３本体であり、前記第３本体は、前記第１本体の前記第１溝室中に収容設置され、前記第３本体は、第２ピボット部を設け、前記第２ピボット部は、前記第１本体の前記第１ピボット部と位置合わせされ、前記第３本体上に第２押圧部を設け、前記第２押圧部は、前記嵌合部材の前記第１押圧部と係合する第３本体と、
第２ピボット部材であり、前記第２ピボット部材は、前記第１本体の前記第１ピボット部及び前記第３本体の前記第２ピボット部中に収容設置され、前記第３本体を前記第１本体と枢着させる第２ピボット部材と、
を含む。
【考案の効果】
【０００８】
先行技術に対する効果は、以下である。前記第３本体が時計回りに回転する場合、前記第２押圧部は、第１押圧部と係合し、前記当接部を調整ボルトと当接させ、調整ボルトにより第２嵌合ブロックに螺合部材を挟持させ、螺合部材の時計回り方向の回転を連動することができ、回転トルクを受けている状態で、前記嵌合部材は、第３軸孔を設け、第１ピボット部材を貫通させ、このように、当接部及び調整ボルトの間に大きな面積の当接状態を有し、二者の間の当接状態は、調整ボルトの最大直径箇所全体を横に跨いで比較的良好な回転トルクを有することができる。使用者が第３本体を反時計回りに回転する場合、螺合部材の角端の制限を受け、前記第２本体は、変位し、前記調整ボルトは、嵌合部材の押圧を受けた後に変位し、前記第１嵌合ブロック及び第２嵌合ブロックの距離を増加させ、第３本体が反時計回りに回転する時は、螺合部材を回転することができず、本考案のモンキーレンチ構造にラチェット効果をもたせる。
【図面の簡単な説明】
【０００９】
【図１】本考案のモンキーレンチ構造の立体分解図である。
【図２】本考案のモンキーレンチ構造の第１本体の側面図である。
【図３】本考案の図２Ｂ−Ｂ箇所の断面図である。
【図４】本考案のモンキーレンチ構造の立体組み合わせ図である。
【図５】本考案のモンキーレンチ構造の側面図である。
【図６】本考案の図５Ｃ−Ｃ箇所の断面図である。
【図７】本考案のモンキーレンチ構造が時計回りに回転した断面図である。
【図８】本考案のモンキーレンチ構造が反時計回りに回転した断面図である。
【図９】本考案のモンキーレンチ構造の第２実施例の立体分解図である。
【図１０】本考案のモンキーレンチ構造の第３実施例断面図である。
【図１１】本考案のモンキーレンチ構造の第４実施例の立体分解図である。
【図１２】本考案のモンキーレンチ構造の第４実施例の断面図である。
【図１３】本考案のモンキーレンチ構造の第５実施例の立体分解図である。
【図１４】本考案のモンキーレンチ構造の第５実施例の断面図である。
【図１５】本考案のモンキーレンチ構造の第６実施例の立体分解図である。
【考案を実施するための形態】
【００１０】
審査官及び当業者に本考案の効果を完全に理解させるため、図面及び部材符号を併せて本考案の構造、組成を説明するが、以下に記載するものは、本考案の実施例を説明することに用いるのみであり、本考案に対して如何なる形式上の制限を行うものでもなく、本考案の精神の下で行われる如何なる修飾変更も依然として本考案の保護範囲に属すものである。
【００１１】
先ず、図１〜図３に示すように、図１は、本考案のモンキーレンチ構造の立体分解図であり、図２は、本考案のモンキーレンチ構造の第１本体１０の側面図であり、図３は、本考案の図２のＢ−Ｂ箇所の断面図であり、本考案は、モンキーレンチ構造に関し、それは、以下を含む。
【００１２】
第１本体１０であり、図２及び図３に示すように、前記第１本体１０の一端は、突出する第１嵌合ブロック１１を設け、前記第１嵌合ブロック１１上に第１嵌合面１１１を設け、前記第１嵌合面１１１は、凹弧面状を呈する。前記第１嵌合面１１１上には、複数の横方向に配列された第１凸部１１２を設け、前記第１本体１０の第１嵌合ブロック１１に近隣する箇所は、円溝状を呈する。前記第１本体１０は、四角溝１３を設け、前記四角溝１３の一辺面は、滑動溝１２と相通状を呈する。前記四角溝１３内の対応する両側辺は、第１面１３１及び第２面１３２を設け、前記第１面１３１及び第２面１３２の間の距離は、第１距離１３３であり、前記第１本体１０の中央は、第１軸孔１４を設け、前記第１軸孔１４は、四角溝１３と相通状を呈する。前記第１本体１０の第１嵌合ブロック１１から離れる箇所に第１溝室１５を設け、前記第１溝室１５の上下は、密閉面状を呈し、前記第１溝室１５は、第１本体１０の第１嵌合ブロック１１から離れる箇所が開放状を呈する。前記第１溝室１５の底面は、第３面１５１であり、前記第３面１５１は、平面状を呈する。前記第１本体１０は、貫通する第１ピボット部１６を設け、前記第１ピボット部１６は、第１溝室１５と相通状を呈する。前記第１ピボット部１６の一端は、螺子孔１６１を設け、前記螺子孔１６１は、内ねじ山状を呈する。前記第１本体１０は、第２溝室１７を設け、前記第２溝室１７は、第１溝室１５及び四角溝１３と相通状を呈する。前記第１本体１０は、貫通孔１８を設け、前記貫通孔１８は、貫通状を呈し、貫通孔１８は、第１溝室１５及び第２溝室１７の接合箇所付近に設けられる。
【００１３】
第２本体２０であり、前記第２本体２０上に突出する第２嵌合ブロック２１を設け、前記第２嵌合ブロック２１は、第１本体１０の第１嵌合ブロック１１と対応し、前記第２嵌合ブロック２１上には、第２嵌合面２１１を設け、前記第２嵌合面２１１は、凹弧面状を呈する。前記第２嵌合面２１１上には、複数の横方向に配列された第２凸部２１２を設け、前記第２凸部２１２は、第１凸部１１２と対応する。前記第２本体２０上には、滑動ロッド２２を設け、前記滑動ロッド２２は、滑動溝１２中に収容設置され、前記第２本体２０を第１本体１０の滑動溝１２箇所で直線変位可能にする。前記滑動ロッド２２は、円ロッド状を呈し、前記滑動ロッド２２上には、複数の配列された第１歯部２３を設け、前記第１歯部２３を設け、前記第１歯部２３は、凹弧状を呈する。
【００１４】
調整ボルト３０であり、前記調整ボルト３０は、第１本体１０の四角溝１３中に枢着され、前記調整ボルト３０の長さは、第１距離１３３より小さく、前記調整ボルト３０外周面は、第２歯部３１を設け、前記第２歯部３１は、第２本体２０の第１歯部２３と噛み合い、調整ボルト３０を回転させる。前記第２本体２０を第１本体１０の滑動溝１２で直線変位させ、前記調整ボルト３０中央に貫通する第２軸孔３２を設け、前記第２軸孔３２は、第１本体１０の第１軸孔１４と位置合わせされ、前記調整ボルト３０の一端は、第１収容溝３３を設け、前記第１収容溝３３は、円溝状を呈し、前記第１収容溝３３は、第１面１３１と位置合わせされ、前記調整ボルト３０は、円柱体状を呈する。
【００１５】
第１ピボット部材４０であり、前記第１ピボット部材４０は、第１本体１０の第１軸孔１４中及び調整ボルト３０の第２軸孔３２中に収容設置され、前記調整ボルト３０を四角溝１３中に枢着させる。
【００１６】
嵌合部材５０であり、前記嵌合部材５０は、Ｌ型直角状を呈し、前記嵌合部材５０は、第１本体１０の第１溝室１５及び第２溝室１７中に収容設置される。前記嵌合部材５０の一端は、当接部５１を設け、前記当接部５１は、第２溝室１７中に収容設置され、前記当接部５１は、調整ボルト３０の一端と当接し、前記当接部５１は、四角溝１３の範囲まで凸伸する。前記第１距離１３３は、調整ボルト３０の長さと当接部５１の長さを加えた長さより大きく、前記当接部５１上には、貫通する第３軸孔５２を設け、前記第３軸孔５２は、第１軸孔１４及び第２軸孔３２と位置合わせされ、前記第３軸孔５２は、第１ピボット部材４０と互いに被せ設けられる。前記嵌合部材５０は、第１押圧部５３を設け、前記第１押圧部５３は、斜面状を呈し、前記嵌合部材５０の他端の対応する両辺は、第４面５４及び第５面５５を設け、前記第４面５４及び第５面５５は、第１溝室１５中に収容設置され、前記第４面５４は、第３面１５１と当接し、前記第４面５４は、平面状又は弧面状を呈し、前記第５面５５は、平面状を呈し、前記第４面５４が平面状を呈する時は、第５面５５及び第３面１５１と平行状を呈する。
【００１７】
第３本体６０であり、前記第３本体６０は、第１本体１０の第１溝室１５中に収容設置され、前記第３本体６０中央は、第２ピボット部６１を設け、前記第２ピボット部６１は、第１本体１０の第１ピボット部１６と位置合わせされる。前記第３本体６０上には、第２押圧部６２を設け、前記第２押圧部６２は、嵌合部材５０の第１押圧部５３と係合し、前記第２押圧部６２は、突出面状を呈し、前記第２押圧部６２は、弧面状を呈する。前記第３本体６０の第２押圧部６２から離れる箇所は、第２収容溝６３を設け、前記第２収容溝６３は、第３面１５１箇所に向き合い、前記第２収容溝６３は、円溝状を呈し、前記第２押圧部６３付近に第６面６４を設け、前記第６面６４は、嵌合部材５０の第５面５５と係合し、前記第６面６４は、平面状又は弧面状を呈し、前記第６面６４の一側に弧面６５を設け、前記弧面６５は、第２押圧部６２から離れ、前記第３本体６０は、把手状を呈し、手に掴持させる。
【００１８】
第２ピボット部材７１であり、前記第２ピボット部材７１は、第１本体１０の第１ピボット部１６及び第３本体６０の第２ピボット部６１中に収容設置され、前記第３本体６０は、前記第１本体１０と枢着する。前記第２ピボット部材７１は、ねじ山部を設け、ねじ山部は、外ねじ山状を呈し、且つ螺子孔１６１と螺合する。
【００１９】
第１弾性部材７２であり、前記第１弾性部材７２は、第３本体６０の第２収容溝６３の箇所に収容設置され、且つ前記第１弾性部材７２は、第１溝室１５の第３面１５１と相互に係合する。
【００２０】
第２弾性部材７３であり、前記第２弾性部材７３は、調整ボルト３０第１収容溝３３の箇所に収容設置され、前記第２弾性部材７３は、調整ボルト３０と四角溝１３の第１面１３１の間に係合される。
【００２１】
制御部材８０であり、前記制御部材８０は、第１本体１０の貫通孔１８中に枢着し、前記制御部材８０の一端は、発動部を設け、前記発動部は、第１本体１０外に突出する。前記制御部材８０上に制御部８１を設け、前記制御部８１は、円柱体状を呈し、前記制御部８１は、外周面８２及び制御溝８３を設け、前記外周面８２は、第３本体６０の辺面と当接し、前記第３本体６０に第１本体１０に対して回転不能状態を呈させ、制御部材８０を回転させた後、前記制御溝８３に第３本体６０を位置合わせさせ、前記第３本体６０に回転空間をもたせ、前記制御部材８０の他端は、バックル溝８４を設ける。
【００２２】
バックル８５であり、前記バックル８５は、制御部材８０のバックル溝８４中に収容設置され、前記制御部材８０にバックル８５の制限を受けさせて貫通孔１８中に収容設置させ、前記バックル８５の断面は、Ｃ型の環体状である。
【００２３】
続いて図４を参照し、図４は、本考案のモンキーレンチ構造の立体組み合わせ図であり、図から明確であるように、前記第２本体２０は、第１本体１０の滑動溝１２中に収容設置され、前記第１本体１０の第１嵌合ブロック１１は、第２本体２０の第２嵌合ブロック２１と対応し、前記第１凸部１１２及び第２凸部２１２は、第１嵌合ブロック１１及び第２嵌合ブロック２１の作動時に更に摩擦力をもたせ、前記調整ボルト３０は、第１本体１０の四角溝１３中に収容設置される。前記第１ピボット部材４０は、前記第１本体１０の第１軸孔１４中に収容設置され、前記第１ピボット部材４０は、調整ボルト３０の第２軸孔３２と枢着し、前記嵌合部材５０は、第１溝室１５及び第２溝室１７中に収容設置され、前記第３本体６０は、第１本体１０の第１溝室１５中に収容設置され、前記第２ピボット部材７１は、第１ピボット部１６及び第２ピボット部６１中に収容設置され、且つ螺子孔１６１と螺合結合し、前記第２ピボット部材７１は、第１本体１０及び第３本体６０を結合枢着させ、前記制御部材８０は、第１本体１０の貫通孔１８中に収容設置され、前記制御部材８０の一端は、発動部を設け、前記発動部は、第１本体１０外に突出し、使用者に発動させ、前記制御部材８０は、バックル８５の制限を受けて第１本体１０の貫通孔１８中に収容される。
【００２４】
続いて図５及び図６を参照し、図５は本考案のモンキーレンチ構造の側面図であり、図６は、本考案の図５のＣ―Ｃ箇所の断面図であり、図から明確であるように、前記第２本体２０の滑動ロッド２２は、第１本体１０の滑動溝１２中に収容設置され、前記第１嵌合ブロック１１は、第２本体２０の第２嵌合ブロック２１と対応し、前記調整ボルト３０は、四角溝１３中に収容設置され、前記調整ボルト３０の第２歯部３１は、第２本体２０の第１歯部２３と噛み合い、前記第１ピボット部材４０は、第１軸孔１４中に収容設置され、前記第１ピボット部材４０は、第２軸孔３２と結合枢着し、前記嵌合部材５０は、第１溝室１５及び第２溝室１７中に収容設置され、前記嵌合部材５０の当接部５１は、調整ボルト３０の一端と当接し、前記嵌合部材５０の第３軸孔５２は、第１軸孔１４及び第２軸孔３２と位置合わせされる。前記第１ピボット部材４０は、第１本体１０、調整ボルト３０及び嵌合部材５０を互いに結合枢着させ、前記嵌合部材５０の第４面５４は、第１溝室１５の第３面１５１と当接し、前記第３本体６０は、第１溝室１５中に収容設置され、前記第３本体６０の第２押圧部６２は、嵌合部材５０の第１押圧部５３と係合し、前記第３本体６０の第６面６４は、嵌合部材５０の第５面５５と当接し、前記第２ピボット部材７１は、第１ピボット部１６及び第２ピボット部６１中に収容設置され、且つ螺子孔１６１と螺合し、前記第２ピボット部材７１は、第１本体１０及び第３本体６０を互いに結合枢着させる。前記第１弾性部材７２は、第２収容溝６３箇所に収容設置され、且つ第３面１５１と係合し、前記第２弾性部材７３は、第１収容溝３３箇所に収容設置され、且つ第１面１３１と係合し、前記制御部材８０は、貫通孔１８中に収容設置され、前記制御部材８０の外周面８２は、第３本体６０の辺面と位置合わせされ、且つ前記第１本体１０の第１嵌合ブロック１１及び第２嵌合ブロック２１は、螺合部材８６と嵌合作用する。
【００２５】
第３本体６０を回転し、前記第３本体６０の第２押圧部６２は、嵌合部材５０の第１押圧部５３と相互に係合し、前記嵌合部材５０の当接部５１を調整ボルト３０の一端と相互に当接させ、前記調整ボルト３０の第２歯部３１は、第２本体２０の第１歯部２３と相互に噛み合い、調整ボルト３０により第２嵌合ブロック２１に螺合部材８６を挟持させ、螺合部材８６の時計回りの回転を連動することができる。
【００２６】
続いて、図７を参照し、図７は、本考案のモンキーレンチ構造が時計回りに回転した断面図であり、図から明確であるように、使用者は、第３本体６０が時計回りに回転する時、前記制御溝８３は、第３本体６０に位置合わせされ、前記第３本体６０に回転空間をもたせ、前記第３本体６０が時計回りに回転する時、前記第３本体６０の第２押圧部６２は、嵌合部材５０の第１押圧部５３と係合し、前記嵌合部材５０の当接部５１を調整ボルト３０の一端と当接し、前記調整ボルト３０の第２歯部３１は、第２本体２０の第１歯部２３と相互に噛み合い、調整ボルト３０により第２嵌合ブロック２１に螺合部材８６を挟持させ螺合部材８６の時計回りの回転を連動することができる。
【００２７】
続いて、図８を参照し、図８は、本考案のモンキーレンチ構造の反時計回りに回転した断面図であり、制御溝８３が第３本体６０を位置合わせする時、使用者は、第３本体６０が反時計回りに回転することができ、螺合部材８６の制限を受け、前記第２本体６０は、変位し、前記調整ボルト３０は、第２本体６０及び第２弾性部材７３の弾力の押圧を受けて変位し、前記第１本体１０の第１嵌合ブロック１１及び第２本体２０の第２嵌合ブロック２１の距離を増加させ、前記第３本体６０が反時計回りに回転する時、螺合部材８６を回転させることができず、前記モンキーレンチ構造にラチェット効果をもたせる。
【００２８】
図９を参照し、図９は、本考案のモンキーレンチ構造の第２実施例の立体分解図であり、この実施例においては、貫通孔１８を設けておらず、制御部材８０及びバックル８５を設けていない。
【００２９】
続いて、図１０を参照し、図１０は、本考案のモンキーレンチ構造の第３実施例の断面図であり、この実施例において、前記調整ボルト３０の他端は、第２収容溝３４を設け、第３弾性部材７４を設け、前記第３弾性部材７４は、第２収容溝３４内に収容設置され、前記第３弾性部材７４は、嵌合部材５０の当接部５１と係合し、前記第３弾性部材７４は、バネ構造であり、前記嵌合部材５０の第１押圧部５３は、凹弧面状を呈し、前記第３本体６０の第２押圧部６２は、凸弧面状を呈し、前記第２押圧部６２は、第１押圧部５３内に収容設置され、前記第３本体６０が反時計回りに回転する時、前記第３本体６０は、嵌合部材６０の変位を連動し、ラチェット効果を有する。
【００３０】
続いて、図１１及び図１２を参照し、図１１は、本考案のモンキーレンチ構造の第４実施例の立体分解図であり、図１２は、本考案のモンキーレンチ構造の第４実施例の断面図であり、図から分かるように、本実施例において、前記嵌合部材５０は、第１本体１０の第２溝室１７中に収容設置され、前記嵌合部材５０は、梯子型のブロック体状を呈し、前記嵌合部材５０上に第４面５４及び第５面５５を設けず、前記第６面６４は、第３面１５１上に直接当接する。
【００３１】
図１３及び図１４を参照し、図１３は、本考案のモンキーレンチ構造の第５実施例の立体組み合わせ図であり、図１４は、本考案のモンキーレンチ構造の第５実施例の断面図であり、本実施例において、前記第１本体１０の第１軸孔１４(図１３の図示手前部分(符号１４に相当する部分)は切除したものとなっている)内に内ねじ山部を設け、前記第１ピボット部材４０の端部は、外ねじ山部を設け、第１ピボット部材４０は、第１軸孔１４と螺合する。
【００３２】
続いて、図１５を参照し、図１５は、本考案のモンキーレンチ構造の第６実施例の立体分解図であり、図から分かるように、本実施例において、前記嵌合部材５０は、第３本体６０と一体状を呈し、本考案のモンキーレンチ構造に部材コストを節減する効果を達成させる。
【００３３】
本考案のモンキーレンチ構造の利点は、以下にある：
１、図６及び図７を参照し、前記第３本体６０が時計回りに回転し、前記第２押圧部６２は、第１押圧部５３と係合し、前記当接部５１を調整ボルト３０と当接させ、調整ボルト３０により第２嵌合ブロック２１に螺合部材８６を挟持させ、螺合部材８６の時計回りの回転を連動することができ、回転トルクを受けている状態で、前記嵌合部材５０は、第３軸孔５２を設け、第１ピボット部材４０を貫通させ、このように、前記当接部５１及び調整ボルト３０の間に大きな面積の当接状態を有し、二者の間の当接状態が調整ボルト３０の最大直径箇所を横に跨いて比較的良好な回転トルクを有することができる。
２、図８に示すように、制御溝８３が第３本体６０を位置合わせする時、使用者は、第３本体６０を反時計回りに回転させることができ、螺合部材８６の角端の制限を受け、前記第２本体は、変位し、前記調整ボルト３０は、第２本体２０及び第２弾性部材７３の弾力の押圧を受けて変位し、前記第１本体１０の第１嵌合ブロック１１及び第２本体２０の第２嵌合ブロック２１の距離を増加させ、前記第３本体６０が反時計回りに回転する時は、螺合部材８６を回転させることができず、前記本考案のモンキーレンチ構造にラチェット効果をもたせる。
【００３４】
本考案のモンキーレンチ構造は、産業利用性、新規性及び進歩性を有し、実用新案出願要件に適合する。
【符号の説明】
【００３５】
１０  第１本体
１１  第１嵌合ブロック
１１１  第１嵌合面
１１２  第１凸部
１２  滑動溝
１３  四角溝
１３１  第１面
１３２  第２面
１３３  第１距離
１４  第１軸孔
１５  第１溝室
１５１  第３面
１６  第１ピボット部
１６１  螺子孔
１７  第２溝室
１８  貫通孔
２０  第２本体
２１  第２嵌合ブロック
２１１  第２嵌合面
２１２  第２凸部
２２  滑動ロッド
２３  第１歯部
３０  調整ボルト
３１  第２歯部
３２  第２軸孔
３３  第１収容溝
３４  第２収容溝
４０  第１ピボット部材
５０  嵌合部材
５１  当接部
５２  第３軸孔
５４  第４面
５５  第５面
６０  第３本体
６１  第２ピボット部
６２  第２押圧部
６３  第２収容溝
６４  第６面
６５  弧面
７１  第２ピボット部材
７２  第１弾性部材
７３  第２弾性部材
７４  第３弾性部材
８０  制御部材
８１  制御部
８２  外周面
８３  制御溝
８４  バックル溝
８５  バックル
８６  螺合部材
【図１】
0003200655.tif 000003
【図２】
0003200655.tif 000004
【図３】
0003200655.tif 000005
【図４】
0003200655.tif 000006
【図５】
0003200655.tif 000007
【図６】
0003200655.tif 000008
【図７】
0003200655.tif 000009
【図８】
0003200655.tif 000010
【図９】
0003200655.tif 000011
【図１０】
0003200655.tif 000012
【図１１】
0003200655.tif 000013
【図１２】
0003200655.tif 000014
【図１３】
0003200655.tif 000015
【図１４】
0003200655.tif 000016
【図１５】
0003200655.tif 000017